(57)【特許請求の範囲】
【請求項１】
複数枚のパネルから構成されており、建物開口部を閉鎖して第１側と第２側とに仕切るシャッターカーテンと、
第１側辺と、第２側辺と、第１側辺の先端から第２側へ向かって見込方向に延びる第１前辺と、第２側辺の先端から第１側へ向かって見込方向に延びる第２前辺と、を有し、第１前辺の先端と第２前辺の先端との間にシャッターカーテン幅方向端部を受け入れる開口溝が形成されたガイドレールと、
全閉状態にあるシャッターカーテンを第１側から第２側へ水平方向に圧迫して、当該シャッターカーテンを第２側へ移動させる水平圧迫手段と、
見込面である前記第１前辺の外面に固定され、全体が前記第１前辺の外側かつ前記開口溝の外側に位置して高さ方向に亘って延びる第１嵌合受部と、
見込面である前記第２前辺の外面に固定され、全体が前記第２前辺の外側かつ前記開口溝の外側に位置して高さ方向に亘って延びる第２嵌合受部と、
前記第１嵌合受部に嵌脱可能な第１嵌合部と、高さ方向に一体で連続して延びる第１弾性突片と、を含み、前記第１嵌合部及び前記第１弾性突片を含む全体が前記ガイドレールの外側かつ前記開口溝の外側に位置した状態で、前記第１嵌合部を介して前記第１嵌合受部に嵌合されている第１弾性要素と、
前記第２嵌合受部に嵌脱可能な第２嵌合部と、高さ方向に一体で連続して延びる第２弾性突片と、を含み、前記第２嵌合部及び前記第２弾性突片を含む全体が前記ガイドレールの外側かつ前記開口溝の外側に位置した状態で、前記第２嵌合部を介して前記第２嵌合受部に嵌合されている第２弾性要素と、
を備えており、
前記第１弾性要素の前記第１弾性突片、前記第２弾性要素の前記第２弾性突片は、シャッターカーテン幅方向端部を受け入れない状態で、先端同士が接触可能ないし近接可能な突出寸法を備えており、
シャッター開閉時及び全閉状態では、前記第１弾性要素の前記第１弾性突片、前記第２弾性要素の前記第２弾性突片が、前記ガイドレールの外側に位置して、シャッターカーテン幅方向端部の第１面、第２面にそれぞれ接触し、
全閉状態にあるシャッターカーテンが前記水平圧迫手段によって第２側へ移動した時には、前記第１弾性要素の前記第１弾性突片、前記第２弾性要素の前記第２弾性突片の前記第１面、前記第２面に対する接触状態が維持され、
全開状態では、前記第１弾性要素の前記第１弾性突片の先端と前記第２弾性要素の前記第２弾性突片の先端が接触ないし近接して、前記開口溝を塞ぐようになっている、
防水シャッター。
【請求項２】
シャッター開閉時及び全閉状態では、前記第１弾性要素の前記第１弾性突片、前記第２弾性要素の前記第２弾性突片が、シャッターカーテン幅方向端部の第１面、第２面にそれぞれ面接触する、請求項１に記載の防水シャッター。
【請求項３】
前記第１弾性要素は、見込面である前面、第１側面、第２側面からなり、前記第１嵌合部を備えた本体部を有し、
前記第１側面は、前記開口溝から遠い側に位置し、前記第２側面は、前記開口溝に近い側に位置し、前記前面において、前記第１側面側が開口溝から遠い遠位部分であり、第２側面側が開口溝に近い近位部分であり、
前記第１弾性突片は、前記本体部の前記前面の前記遠位部分から第２側へ向かって前記前面から離間するように平面視傾斜状に延びており、
前記第２弾性要素は、見込面である前面、第１側面、第２側面からなり、前記第２嵌合部を備えた本体部を有し、
前記第１側面は、前記開口溝から遠い側に位置し、前記第２側面は、前記開口溝に近い側に位置し、前記前面において、前記第１側面側が開口溝から遠い遠位部分であり、第２側面側が開口溝に近い近位部分であり、
前記第２弾性突片は、前記本体部の前記前面の前記遠位部分から第１側へ向かって前記前面から離間するように平面視傾斜状に延びて
いる、
請求項１、２いずれか１項に記載の防水シャッター。
【請求項４】
前記第１前辺の内面に隣接して、全閉状態のシャッターカーテンの第１側の第１面に対向するように前記水平圧迫手段の押圧部が設けてあり、
前記第２前辺の内面に隣接して、全閉状態のシャッターカーテンの第２側の第２面に対向するように止水用弾性部材が高さ方向に亘って設けてある、
請求項１〜３いずれか１項に記載の防水シャッター。
【請求項５】
前記第１弾性要素の前記第１弾性突片の上方部位、前記第２弾性要素の前記第２弾性突片の上方部位は、それぞれ傾斜縁となっており、開口部全開状態において、開口溝の上方部位に位置して、一対の傾斜縁からＶ形状のガイド部が形成されている、請求項１〜４いずれか１項に記載の防水シャッター。
【請求項６】
建物開口部を閉鎖して第１側と第２側とに仕切るシャッターカーテンと、
第１側辺と、第２側辺と、第１側辺の先端から第２側へ向かって延びる第１前辺と、第２側辺の先端から第１側へ向かって延びる第２前辺と、を有し、第１前辺の先端と第２前辺の先端との間にシャッターカーテン幅方向端部を受け入れる開口溝が形成されたガイドレールと、
全閉状態にあるシャッターカーテンを第１側から第２側へ水平方向に圧迫する水平圧迫手段と、を備え、
前記第１前辺の外面には第１弾性要素、前記第２前辺の外面には第２弾性要素がそれぞれ高さ方向に亘って設けてあり、
前記第１弾性要素の弾性突片、前記第２弾性要素の弾性突片は、シャッターカーテン幅方向端部を受け入れない状態で、先端同士が接触可能ないし近接可能な突出寸法を備えており、
シャッター開閉時及び全閉状態では、前記第１弾性要素の弾性突片、前記第２弾性要素の弾性突片が、シャッターカーテン幅方向端部の第１面、第２面にそれぞれ接触し、
全開状態では、前記第１弾性要素の弾性突片の先端と前記第２弾性要素の弾性突片の先端が接触ないし近接して、前記開口溝を塞ぐようになっており、
前記第１弾性要素の前記弾性突片の上方部位、前記第２弾性要素の前記弾性突片の上方部位は、それぞれ傾斜縁となっており、開口部全開状態において、開口溝の上方部位に位置して、一対の傾斜縁からＶ形状のガイド部が形成されている、
防水シャッター。
【発明の詳細な説明】
【技術分野】
【０００１】
本発明は、防水シャッターに関するものである。
【背景技術】
【０００２】
近年、異常気象によるゲリラ豪雨が頻繁に発生し、都市部において、地下鉄構内やビル地階への雨水の浸水事故が発生している。非常時に建築物等の入り口等に設置して、外部の水が建物内に浸水するのを防ぎたい場合がある。また、ゲリラ豪雨時に限らず、建物開口部を止水状態で閉鎖して内部への浸水を防止したい場合がある。
【０００３】
建物開口部を止水状態で閉鎖する防水シャッターにおいては、特に、幅方向両端部及び下端部の三方において浸水を防ぐ止水ラインを確保する必要がある。止水ラインは、扉体の三方をゴムからなる止水材に押し付けることで形成される（特許文献１、２）。
【０００４】
このような防水シャッターでは、全閉状態のシャッターカーテンを垂直方向及び水平方向に押圧して止水状態を得る必要があり、特に、開口部幅方向両端部の止水状態を形成するために、シャッターカーテンを水平方向に押圧してガイドレールの開口溝内に受け入れられたパネル端部を水平方向に移動させることから、通常のパネルシャッターに比べて、シャッターカーテン幅方向端部とガイドレール開口溝とのクリアランスが大きくなっている。
【０００５】
したがって、開口部全開状態では、人の手等を差し入れることができる程度の比較的大きい幅寸法を有する開口溝が建物開口部に露出することになる。特に、この種の防水シャッターは、例えば、地下鉄構内への出入り口のような人の行き来が多い開口部に設置されることが想定され、この場合、通常時は開口部全開状態として使用される。ガイドレールの内部空間には、ガイド機構や押圧機構を構成する金属製要素等があるので、むやみに手を差し入れることができないようにすることが望ましい。また、ガイドレール開口溝から障害物（空き缶、傘など）を差し込まれたり、異物が侵入すると、シャッター開閉の支障となり得る。
【特許文献１】実用新案登録第３１６３２８８号
【特許文献２】実用新案登録第３１８５１５０号
【発明の開示】
【発明が解決しようとする課題】
【０００６】
本発明は、防水シャッターにおいて、開口部全開状態にガイドレールの開口溝を塞ぐことを目的とするものである。
本発明の他の目的や作用効果は、本明細書の記載から明らかとなる。
【課題を解決するための手段】
【０００７】
本発明が採用した技術手段は、
建物開口部を閉鎖して第１側と第２側とに仕切るシャッターカーテンと、
第１側辺と、第２側辺と、第１側辺の先端から第２側へ向かって延びる第１前辺と、第２側辺の先端から第１側へ向かって延びる第２前辺と、を有し、第１前辺の先端と第２前辺の先端との間にシャッターカーテン幅方向端部を受け入れる開口溝が形成されたガイドレールと、
全閉状態にあるシャッターカーテンを第１側から第２側へ水平方向に圧迫する水平圧迫手段と、を備え、
前記第１前辺の外面には第１弾性要素、前記第２前辺の外面には第２弾性要素がそれぞれ高さ方向に亘って設けてあり、
前記第１弾性要素の弾性突片、前記第２弾性要素の弾性突片は、シャッターカーテン幅方向端部を受け入れない状態で、先端同士が接触可能ないし近接可能な突出寸法を備えており、
シャッター開閉時及び全閉状態では、前記第１弾性要素の弾性突片、前記第２弾性要素の弾性突片が、シャッターカーテン幅方向端部の第１面、第２面にそれぞれ接触し、
全開状態では、前記第１弾性要素の弾性突片の先端と前記第２弾性要素の弾性突片の先端が接触ないし近接して、前記開口溝を塞ぐようになっている、
防水シャッター、である。
１つの態様では、前記第１前辺の内面に位置して、全閉状態のシャッターカーテンの第１側の第１面に対向するように前記水平圧迫手段の押圧部が設けてあり、
前記第２前辺の内面に位置して、全閉状態のシャッターカーテンの第２側の第２面に対向するように止水用弾性部材が高さ方向に亘って設けてある。
水平方向圧迫手段の具体的な構成は、後述する実施形態における第２圧迫機構に限定されない。
典型的には、前記防水シャッターは防水パネルシャッターであり、前記シャッターカーテンは複数枚のパネルから構成されている。
「全閉状態」には、意図的に「垂直圧迫状態」と区別して記載されている場合を除き、「垂直圧迫状態」が含まれる。
防水パネルシャッターにおいては、全閉状態（垂直圧迫前）にあるシャッターカーテンを垂直方向に圧迫する垂直圧迫手段を備えており、全閉状態（垂直圧迫後）にあるシャッターカーテンに対して水平圧迫が実行される。
上記の構成において、「第１」、「第２」は、いずれか一方が「室外側」、他方が「室内側」であり、１つの態様では、前記第１側が室外側であり、前記第２側が室内側である。
【０００８】
１つの態様では、シャッター開閉時及び全閉状態では、前記第１弾性要素の弾性突片、前記第２弾性要素の弾性突片が、シャッターカーテン幅方向端部の第１面、第２面にそれぞれ面接触する。
【０００９】
１つの態様では、前記第１前辺の外面、前記第２前辺の外面には、それぞれ第１嵌合受部、第２嵌合受部が高さ方向に亘って設けてあり、
前記第１弾性要素、前記第２弾性要素は、それぞれ第１嵌合受部、第２嵌合受部に嵌脱可能に嵌合されている。
【００１０】
１つの態様では、前記第１弾性要素は、第１嵌合受部に嵌合する嵌合部を備えた本体部を有し、
前記本体部は、前記開口溝に近い側の近位部分と前記開口溝から遠い側の遠位部分を有し、
前記弾性突片は、前記本体部の前記遠位部分から前記開口溝へ向かって平面視傾斜状に延びており、
前記第２弾性要素は、第２嵌合受部に嵌合する嵌合部を備えた本体部を有し、
前記本体部は、前記開口溝に近い側の近位部分と前記開口溝から遠い側の遠位部分を有し、
前記弾性突片は、前記本体部の前記遠位部分から前記開口溝へ向かって平面視傾斜状に延びている。
【００１１】
１つの態様では、前記第１弾性要素の前記弾性突片の上方部位、前記第２弾性要素の前記弾性突片の上方部位は、それぞれ傾斜縁となっており、開口部全開状態において、開口溝の上方部位に位置して、一対の傾斜縁からＶ形状のガイド部が形成されている。
【発明の効果】
【００１２】
本発明では、開口部開放状態において、弾性要素の弾性突片の先端が接触して、ガイドレールの開口溝を塞ぐので、人の手などが直接開口溝に入り込むことがなく、また、障害物を差し込むことも難しくなっていたずらを防止できる。
さらに、ガイドレールの内部空間への雨水、ゴミ・埃等の浸入を防ぎ、スムーズな開閉機能を維持することができる。
【００１３】
本発明において、弾性突片が弾性変形してシャッターカーテンの第１面、第２面に面接触するものでは、全閉状態において、ガイドレールの内部への雨水、ゴミ・埃等の浸入を可及的に防止する。
さらに、水平圧迫によりシャッターカーテンが移動した場合であっても、また、水圧が作用してシャッターカーテンが押される場合であっても、弾性要素の弾性突片とシャッターカーテンとの面接触状態が維持され（むしろ、水圧によって密着状態が維持される）、弾性突片と面が離れて、その部分から水が浸入することを可及的に防止する。
【００１４】
弾性要素は、ガイドレールの前辺の外面に設けられるので、ガイドレール内部に配置する止水用弾性部材や押圧部の妨げにならない。
また、弾性要素の取り付けを嵌合方式でガイドレールの前辺の外面に装着するものでは、弾性要素の摩耗、破損の場合の交換が容易となり、メンテナンスを良好に行うことができる。
【００１５】
弾性突片が、シャッターカーテンが受け入れられる開口溝から遠い側から延びるようにすることで、水圧や水平圧迫手段によってシャッターカーテンが押された時に、弾性突片を介して嵌合状態が外れるような力が弾性要素に作用することを防止する。
【００１６】
弾性要素の上方部位に傾斜縁を形成したものでは、一対の傾斜縁から形成されたＶ形状のガイド部によって、開口部全開状態からのシャッターカーテン降下をスムーズに行うことができる。
【図面の簡単な説明】
【００１７】
【図１】本実施形態に係る防水パネルシャッターを室内側から見た正面図である。
【図２】本実施形態に係る防水パネルシャッターの縦断面図である。
【図３】本実施形態に係る防水パネルシャッターの開口部上方の収納空間における縦断面図である。
【図４】複数枚のパネルを上下方向に連設してなるシャッターカーテンの側面図であり、（Ａ）は垂直圧迫状態、（Ｂ）は全閉状態、（Ｃ）は下降状態（最下端のパネルが着床する直前）を示す。
【図５】本実施形態に係る防水パネルシャッターのガイドレール部分の横断面図である。
【図６】開口部全開状態におけるガイドレール部分の横断面図である。ガイドレール内部の要素は省略されている。
【図７】本実施形態に係る弾性要素を示す図である。
【図８】本実施形態に係る弾性要素を示す図であり、特に、上方部位の形状を示す。
【図９】他の実施形態に係る弾性要素を説明する図である。
【図１０】第１圧迫機構を示し、上図は平面図、下図は、正面図である。
【図１１】第１圧迫機構の側面図であり、第１圧迫機構のパワーシリンダは非作動時（非圧迫姿勢）にある。
【図１２】第１圧迫機構の側面図であり、第１圧迫機構のパワーシリンダは作動時（圧迫姿勢）にある。
【図１３】第２圧迫機構のパワーシリンダを主として示す部分正面図である。
【図１４】第２圧迫機構の側面図であり、第２圧迫機構のパワーシリンダは非作動時（非圧迫姿勢）にある。
【図１５】第２圧迫機構の側面図であり、第２圧迫機構のパワーシリンダは作動時（圧迫姿勢）にある。
【図１６】本実施形態に係る防水パネルシャッターの第２圧迫機構を構成する水平方向押圧部材を示す図である。（Ａ）は水平方向押圧部材の一部省略拡大図、（Ｂ）は水平方向押圧部材の全体図であり、左図は圧迫姿勢、中央図は非圧迫姿勢、右図は側面から見た図である。
【図１７】図１６（Ｂ）の左図、中央図の下方部位の拡大図、及び、それぞれに対応するガイド体の横断面図である。
【図１８】水平方向押圧部材の拡大平面図である。
【図１９】弾性要素の比較例を示す図６と類似の図である。
【発明を実施するための形態】
【００１８】
図１、図２に示すように、防水用のパネルシャッターは、複数枚のパネル１から構成されたシャッターカーテンＳと、建物開口部の幅方向両端に立設され、垂直姿勢のパネル１の幅方向両端部を案内する左右のガイドレール２と、を備えている。図２において、パネル１、すなわちシャッターカーテンＳの左側が室外側、右側が室内側である。図５において、パネル１の上側が室外側、下側が室内側である。
【００１９】
パネル１は、所定厚みを備え、開口幅方向に延びる横長方形状の要素であり、正面視横長方形状の面部と、上面部と、下面部と、左右の側面部と、を有している。開口部全閉状態では、一方の面部が室外側に面する室外側面部１００であり、他方の面部が室内側に面する室内側面部１０１となっている。図５（パネル１の幅方向の一方の端部を示し、他方の端部も同様の構成を有する）に示すように、各パネル１の幅方向両端の側面部には、ガイドローラ１１を設けた支軸１０が突設されており、各パネル１は支軸１０を介してチェーン３（図３参照）に連結されて吊持されることでシャッターカーテンＳを形成する。図２等においてチェーンは省略されているが、パネルシャッターにおいて、各パネルをチェーンによって吊持する構成は当業者に良く知られていることに留意されたい。
【００２０】
ガイドレール２の上端は、開口部上方の収納空間内まで延びており、パネル１の幅方向両端部のガイドローラ１１を案内する上側延出部２´（図３参照）を備えている。上側延出部２´は、ガイドローラ１１に室外側及び室内側の両側から接触可能に構成されている。開口部上方の収納空間には、上側延出部２´の略上端に位置してチェーン３を巻き掛けするためのスプロケット４が設けあり、開閉機Ｍによってスプロケット４を回転させて、チェーン３を吊上げ、あるいは、繰り出すことで、パネル１を上昇、あるいは、下降させて建物開口部を開閉するようになっている。
【００２１】
開口部上方のパネル１の収納空間は開口部上方から室内側に向かって延びており、当該収納空間には、前方から後方（シャッター芯Ｃから室内側）に向かって緩やかに下向き傾斜状に延出する収納レール５が設けある。チェーン３の吊上げによって、収納空間内まで移動したパネル１は、スプロケット４を介して収納レール５に継送され、パネル１はガイドローラ１１が収納レール５に案内されながら収納空間の後方へ順次送られて、互いに平行状に垂下した状態に保持され収納される。
【００２２】
このように構成されたパネルシャッターにおいて、開口部全閉状態において、開閉機Ｍによりスプロケット４をチェーン吊上げ方向に回転駆動すると、全閉状態の垂直姿勢にある各パネル１は、チェーン３の上昇にしたがって、幅方向両端部が垂直状のガイドレール２に案内されながら、上昇していき、上位のパネル１から、ガイドレール２の上側延出部２´から横方向に延びる収納レール５に順次受け渡され、収納空間で平行状に収納されていき、開口部が開放される。
【００２３】
開口部全開状態において、開閉機Ｍによりスプロケッ４をチェーン繰り出し方向に回転駆動すると、平行状に収納されていたパネル１は幅方向両端部のガイドローラ１１が収納レール５に案内されながら順次収納空間の後方から前方のスプロケット４側へ引き出され、スプロケット４を通過する時に、高さ方向に互いに上下に垂直姿勢となってガイドレール２に案内されながら降下していき、開口部が閉鎖される。図２に示すように、建物開口部の下方部位には、床面から所定高さに位置して障害物検知手段として例示する光電センサ６が設けてある。
【００２４】
シャッターカーテン降下時には、上下に隣接する２枚の任意のパネル１において、下側のパネルの上端と上側のパネルの下端とは離間した状態にある（図４（Ｃ）参照）。シャッターカーテン降下時に、最下位のパネル１の下端が着床した後に、シャッターカーテンＳがさらに所定距離下降を継続することで、上下に隣接する２枚の任意のパネル１において、下側のパネルの上端と上側のパネルの下端とが接触して全閉状態となる（図４（Ｂ）参照）。さらに、全閉状態にあるシャッターカーテンＳを垂直方向に圧迫することで垂直圧迫状態となる（図４（Ａ）参照）。
【００２５】
全閉状態のパネルシャッターに対して止水構造を付与することで防水パネルシャッターを構成することができる。本実施形態では、全閉状態のパネルシャッターを止水状態とする手段は、全閉状態にある各パネル１を垂直方向に下方に圧迫する第１圧迫機構７と、第１圧迫機構７によって垂直方向に圧迫された全パネル１を一体で室内側へ向かって水平方向に圧迫する第２圧迫機構８とからなる。
【００２６】
パネルシャッターは可動の中柱９を備えている。開口部上方には、各中柱９に対応して中柱用レール９０が設けてある。中柱用レール９０は、水平状に延びる長尺部材であり、一端が中柱９の設置位置、他端が中柱９の収納位置（開口部の幅方向端部）となっている。中柱９の上端にはハンガーローラ９１が設けてあり、中柱９は中柱用レール９０に沿って可動となっている。中柱９を設置位置まで移動させて、操作レバー９５を回動操作することで、上側係止ロッド９２の上端が開口部上方の中柱受材の係止受孔９２０に係止し、下側係止ロッド９３、９４の下端が床面に埋設した受部材ユニット９６に形成された係止受孔９３０、９４０にそれぞれ係止するようになっている。
【００２７】
最上位のパネル１を除く各パネル１の上面部には、幅方向全体に亘って水密ゴム１２（図３、図４参照）が設けてある。開口部全閉時において、上下隣接する２枚のパネル１の上側パネル１の下端と下側パネル１の上端とを水密ゴム１２を介して圧接させることで、上下隣接するパネル間の止水構造が得られるようになっている。最下位のパネル１の下端には、幅方向全体に亘って水密ゴム１３（図１、図２、図４参照）が設けてあり、開口部全閉時において、水密ゴム１３が床面に圧接されることでシャッターカーテン下端の止水構造が得られるようになっている。すなわち、第１圧迫機構７を用いて、全閉状態のシャッターカーテンＳを上端から床面に向かって垂直に圧迫することで上下に隣接するパネル１間及び最下位のパネル１と床面間の止水状態が得られる。
【００２８】
なお、上下隣接する２枚のパネル１間の止水構造を形成する水密ゴムは、パネル１の上端に設けられるものに限定されるものではなく、パネル１の下端あるいは／および上端に幅方向全体に亘って水密ゴムが設けられ、開口部全閉時において、上下隣接する２枚のパネル１の上側パネル１の下端と下側パネル１の上端とを水密ゴムを介して圧接させることで、上下隣接するパネル間の止水構造が得られるようになっていればよい。
【００２９】
図５、図６に示すように、ガイドレール２は、離間対向する室外側辺２０及び室内側辺２１と、底辺２２と、から断面視コ字状に形成された長尺部材であり、室外側辺２０と室内側辺２１の先端側は互いに対向するように前辺２００、２１０が折曲形成されている。前辺２００は、室外側辺２０の先端から室内側へ向かって室外側辺２０に対して垂直に延びており、前辺２１０は、室内側辺２１の先端から室外側へ向かって室内側辺２１に対して垂直に延びている。そして、前辺２００、２１０の先端間の開口溝にパネル１の幅方向端部を受け入れるようになっている。
【００３０】
図５に示すように、室外側辺２０の先端側の内面、かつ、前辺２００の内面に位置して、断面視長方形状を備え、高さ方向に延びる長尺部材である水平方向押圧部材２３（水平方向押圧部材２３の上端は収納空間までは達していない）が設けてある。室内側辺２１の先端側の内面、かつ、前片２１０の内面に位置して、高さ方向に延びる長尺部材である水密ゴム部材２４が設けてある。底辺２２には高さ方向に延びる長尺部材であって、ガイドローラ１１の室外側周面に接触して案内するガイド部材２５が設けてある。
【００３１】
水平方向押圧部材２３は、平面視において、前辺２００に沿って室内外方向に延びており、先端面（圧迫時に、パネル１の室外側面部１００に当接する部位）は、常時（圧迫時及び非圧迫時）、前辺２００の先端を越えて突出している。なお、非圧迫時には、水平方向押圧部材２３の先端面が前辺２００の内側に位置し（先端を越えない）、圧迫時に、水平方向押圧部材２３の先端面が前辺２００の先端を越えて突出するようにしてもよい。水密ゴム部材２４の先端面は、前辺２１０の先端を越えて突出している。
【００３２】
室外側辺２０と室内側辺２１の先端側の前辺２００、２１０の外面には、それぞれ高さ方向に延びる長尺状の弾性ゴムからなる一対の弾性要素１４が設けてある。一方の弾性要素１４が室外側弾性要素であり、他方の弾性要素１４が室内側弾性要素である。図７に示すように、弾性要素１４は、本体部１５と、本体部１５から平面視傾斜状に延びるフィン状の弾性突片１６と、からなる。弾性突片１６の先端部１６０は肉厚となっている。本体部１５は、対向状の側面１５０、１５１と前面１５２とから断面視コ字形状を備え、前面１５２の内面には高さ方向に延びる長尺状の嵌合部１５３が形成されている。前辺２００、２１０の外面には、それぞれ高さ方向に延びる長尺状の嵌合受部１７が設けてあり、弾性要素１４は、本体部１５の嵌合部１５３を嵌合受部１７に嵌合させることでガイドレール２に嵌脱可能に装着されている。弾性要素１４の取り付けを嵌合方式でガイドレール２の前辺２００、２１０の外面に装着することで、弾性要素１４の摩耗、破損の場合の交換が容易となり、メンテナンスを良好に行うことができる。
【００３３】
ガイドレール２に装着された状態において、本体部１５の側面１５０は、ガイドレール２の開口溝から遠い側に位置し、側面１５１は、ガイドレール２の開口溝から近い側に位置する。本体部１５の前面１５２において、側面１５０に近い側が開口溝から遠い遠位部分であり、側面１５１に近い側が開口溝に近い近位部分である。弾性突片１６は、本体部１５の前面１５２の遠位部分から開口溝に向かって前面１５２から離間するように平面視傾斜状に延びている。弾性突片１６が、パネル１が受け入れられる開口溝から遠い側から延びていることで、水圧や水平圧迫手段によってパネル１が押された時に弾性突片１６の本体部１５に嵌合状態を脱するような力が作用することを可及的に防止し、後述するように、図１９の比較例と比べて嵌合状態が外れ難い。弾性突片１６の基端は前面１５２と側面１５０の角部に位置している。図示の態様では、弾性突片１６の厚さ及び傾斜角度から、弾性突片１６の基端は、前面１５２の側面１５０に近い側の半部全体に亘っている。
【００３４】
図６に示すように、前辺２００、２１０に設けた一対の弾性要素１４の弾性突片１６は、ガイドレール２の開口溝にシャッターカーテン幅方向端部を受け入れない状態で、先端同士が接触可能な突出寸法を備えている。建物開口部全開状態には、一対の弾性要素１４の弾性突片１６の先端部１６０が接触してガイドレール２の開口溝を高さ方向に亘って塞ぐようになっている。
【００３５】
開口部開放状態において、室内外の弾性要素１４の弾性突片１６の先端部１６０が接触して、ガイドレール２の開口溝を塞ぐので、人の手などが直接開口溝に入り込むことがなく、また、障害物を差し込むことも難しくなっていたずらを防止できる。さらに、ガイドレール２の内部空間への雨水、ゴミ・埃等の浸入を防ぎ、スムーズな開閉機能を維持することができる。
【００３６】
図示の態様では、一対の弾性要素１４は同一の部材から形成されており、上下反転させて対称状に装着されており、各弾性突片１６の突出寸法は同一である。一対の弾性要素１４を同一部材から形成することはコスト面等から有利であるが、弾性要素の弾性突片の突出寸法を異ならしめてもよい。図示の態様では、全開状態で、弾性要素１４の弾性突片１６の先端部１６０が接触しているが、弾性要素１４の弾性突片１６の先端部１６０は、ガイドレール２の開口溝に手や物を差し込めない程度に十分に塞ぐことができれば上述の作用効果を得ることができ、全開状態で弾性突片１６の先端部１６０が少し離れていてもよい。
【００３７】
シャッター開閉時及び全閉状態には、弾性要素１４の弾性突片１６の先端側部位が湾曲状に弾性変形してシャッターカーテン幅方向端部の室外側面部１００、室内側面部１０１にそれぞれ接触して、シャッター開閉時の消音材として機能する。弾性突片１６は、弾性変形して室外側面部１００、室内側面部１０１に面接触しているので、全閉状態において、ガイドレール２の内部への雨水、ゴミ・埃等の浸入を可及的に防止する。例えば、通常使用時の全閉時において、室内側への雨水の浸入を防止する。
【００３８】
弾性突片１６は、弾性変形して室外側面部１００、室内側面部１０１に面接触しているので、例えば、室外側から室内側に向かって水平圧迫されてパネル１が室内側に移動した場合であっても、さらに水圧が作用してシャッターカーテンＳが室内側に押される場合であっても、室外側の弾性要素１４の弾性突片１６とパネル１の室外側面部１００との面接触状態が維持され（むしろ、水圧によって密着状態が維持される）、弾性突片１６と室外側面部１００が離れて、その部分から水が浸入することを可及的に防止する。
【００３９】
開口部全開状態では、一対の弾性要素１４の弾性突片１６の先端部１６０が接触しているが、弾性要素１４の上方部位を斜めに切り欠くことで傾斜縁１６１が形成されているので、開口部全開状態からパネル１が、接触している一対の弾性突片１６を押し開きながらスムーズに降下することができる。図８に示すように、傾斜縁１６１は、弾性要素１４の弾性突起１６の上縁から下方に向かって、かつ、弾性突起１６の基端側から先端部１６０に向かって傾斜状に延びており、開口溝の上方部位に位置して、一対の弾性要素１４の上方部位にＶ形状のガイド部が形成されている。
【００４０】
図１９に比較例を示す。弾性要素１４´は、本体部１８と、弾性突起１９と、からなるが、弾性突起１９は短尺であると共に、本体部１８の開口溝に近い近位部位から延びている。この一対の弾性要素１４´は、開口部全開状態において、開口溝を塞ぐことはできず、開口溝が建物開口部に露出することになる。開口部全閉状態において、パネル１が水圧等で例えば室内側へ移動すると、室外側の弾性要素１４´の弾性突起１９とパネル１の室外側面部１００との間に隙間が生じてしまう。また、開口部全閉状態において、パネル１が水圧等で例えば室内側へ移動すると、室内側の弾性要素１４´がパネル１の室内側面部１０１によって押され、この時短尺の弾性突起１９の基端が押されて、弾性要素１４´の嵌合状態が外れてしまうおそれがある。
【００４１】
図９に他の実施形態を示す。図５〜８に示す実施形態と異なる点は、弾性要素１４の弾性突片１６´の先端部１６０´の形状である。開口部全開状態では、一対の弾性突片１６´の先端部１６０´が噛み合うようになっている。このものでは、開口部全開状態での、開口溝の閉塞をより確実に行うことができる。
【００４２】
図５に示すように、各パネル１の幅方向端部は、室外側の水平方向押圧部材２３と、室内側の水密ゴム部材２４と、の間の開口に受け入れられており、幅方向端部から突出する支軸１０の先端のガイドローラ１１の室外側周面は、ガイドレール２の底部側に設けたガイド部材２５に接触ないし近接している。チェーン３を上下動させることで、各パネル１は、室外側面部１００、室内側面部１０１がそれぞれ弾性要素１４の弾性突起１６と接触しながら、幅方向両端の支軸１０のガイドローラ１１の室外側周面がガイド部材２５に、幅方向両端が水密ゴム部材２４に、それぞれ案内されて、垂直方向に上下動する。ガイドローラ１１の室外側周面がガイド部材２５に接触することによって、通常開閉時及び通常の全閉状態において、金属製の水平方向押圧部材２３とパネル１の幅方向端部との接触が規制されている。
【００４３】
水平方向押圧部材２３と水密ゴム部材２４とは、これらの間にパネル１の幅方向端部を介在して対向しており、また、ガイドローラ１１の室内側周面はフリー（部材によって案内されない）であり、パネル１が室内側へ移動することに応じてガイドローラ１１も室内側へ移動可能となっており、水平方向押圧部材２３によってパネル１の端部を室内側へ押圧することで、パネル１の室内側面部の幅方向端部が水密ゴム部材２４に圧接され、シャッターカーテン幅方向両端部の高さ方向に亘る止水構造が得られる。図１７の下方の図において、左図（止水状態）では、水平方向押圧部材２３がパネル１の室外側面部１００に押圧接触しており、パネル１の室内側面部１０１が水密ゴム部材２４に圧接されており、右図（非止水状態）では、水平方向押圧部材２３とパネル１の室外側面部１００、パネル１の室内側面部１０１と水密ゴム部材２４は、それぞれ近接しているものの押圧状態にはない。このように、ガイドレール２の内部に、ガイドローラ１１に室外側からのみ接触可能なガイド部材２５を設けたことで、第２圧迫機構８の圧迫動作によるパネル１の室内側面部１０１と水密ゴム部材２４との圧接を許容する一方、ガイドローラ１１がガイド部材２５に接触することで、パネル１の昇降時に水平方向押圧部材２３とパネル１の室外側面部１００が接触することが規制されている。
【００４４】
シャッターカーテンＳの垂直圧迫状態において、水密ゴム１２が上下隣接するパネル１間を水密状態に閉塞し、水密ゴム１３が最下端のパネル１の下端と床面との間の水密状態に閉塞する。垂直圧迫状態にあるシャッターカーテンＳがさらに水平方向に圧迫されて、水平圧迫状態となると、パネル１の室内側面部１０１が水密ゴム部材２４に圧接されて、開口幅方向両端部を水密状態に閉塞する。このようにシャッターカーテンＳが圧迫状態（垂直圧迫状態兼水平圧迫状態）となると、上下のパネル間が水密状に閉塞されると共に、シャッター装置の三方（左右のガイドレール２内に位置するシャッターカーテンＳの幅方向両端部及びシャッターカーテン下端）の水密ゴム１３、２４によって室内側空間への浸水を防ぐ止水ラインが形成される。
【００４５】
第１圧迫機構７の実施例について説明する。図１に示すように、開口部上方の収納空間には、第１圧迫機構７が開口幅方向に間隔を存して設けてある。図１０〜図１２に示すように、第１圧迫機構７は、開口部上方の収納空間に配置したアクチュエータとして例示するパワーシリンダ７０と、パワーシリンダ７０のピストンロッド７１の先端に設けられ、全閉状態の最上位のパネル１の上端に当接して押圧する押圧部（リンク機構からなる）７２と、を備えている。開口部全閉状態において、ピストンロッド７１を下降させ、押圧部７２を最上位のパネル１の上端に当接させて下方に向かって押圧することで、全閉状態にある各パネルを下方に向かって垂直に圧迫する。
【００４６】
第１圧迫機構７（パワーシリンダ７０、ピストンロッド７１、押圧部７２）は、アクチュエータブラケット７５に固定されており、アクチュエータブラケット７５は、ベースフレーム７６に取り付けられている。図１１、１２に示すように、押圧部７２は、第１圧迫機構７のフレームに固定された水平状のベース７２０と、ベース７２０の基端側に一端が連結された第１リンク７２１と、ベース７２０の先端側に一端が連結された第２リンク７２２と、第１リンク７２１と第２リンク７２２の他端同士を連結する第３リンク７２３と、を備えている。ピストンロッド７１の先端は第３リンク７２３に連結されており、第３リンク７２３の下面が全閉状態の最上位のパネル１の上端に当接して押圧するようになっている。
【００４７】
第１圧迫機構７は、垂直圧迫状態検知手段を構成する第１リミットスイッチ７３、第２リミットスイッチ７４を備えている。第１リミットスイッチ７３がＯＮ（第２リミットスイッチ７４がＯＦＦ）の場合は非垂直圧迫状態であり、第１リミットスイッチ７３がＯＦＦ、第２リミットスイッチ７４がＯＦＦの場合は垂直圧迫動作中あるいは垂直圧迫解除動作中であり、第２リミットスイッチ７４がＯＮ（第１リミットスイッチ７３がＯＦＦ）の場合は垂直圧迫状態であることが検知される。
【００４８】
第２圧迫機構８の実施例について説明する。図１に示すように、開口部上方の収納空間には開口幅方向の左右端部に位置してそれぞれ第２圧迫機構８が設けてある。図３に示すように、第１圧迫機構７と同様に、第２圧迫機構８は、開口部上方の収納空間におけるパネル１の昇降を妨げないように、パネル１の昇降経路に対して室外側に偏倚して設けてある。図１３〜図１８に示すように、第２圧迫機構８は、開口部上方向の収納空間に配置したアクチュエータとして例示するパワーシリンダ８０と、パワーシリンダ８０のピストンロッド８１の上下動に連動する水平方向押圧部材２３と、を備えている。水平方向押圧部材２３は、全体として断面視長方形状に形成されており、ガイドレール２の室外側辺２０の先端側の内面に位置して設けられている。
【００４９】
水平方向押圧部材２３は、ガイドレール２に沿って垂直に延びる断面視コ字状で長尺状の第１部材（室外側部材）２３０と、ガイドレール２に沿って垂直に延びる断面視コ字状で長尺状の第２部材（室内側部材）２３１と、を備えている。第１部材２３０はガイドレール２の室外側辺２０に螺子２６で連結されており、第１部材２３０が固定要素、第２部材２３１が可動要素となっている。第２部材２３１は、垂直状の押圧面２３１０を備えており、圧迫時には、押圧面２３１０がパネル１の室外側面部１００に当接して室内側へ向かって押圧する。第２部材２３１は、以下に述べるリンク機構、作動機構を介して第１部材２３０に対して水平方向に離間・接近するようになっている。
【００５０】
リンク機構は、第１リンク２３２と、第２リンク２３３と、を備え、第１リンク２３２と第２リンク２３３の角度を変えることによって、第１部材２３０に対して第２部材２３１が水平方向に離間・接近するようになっている。第１部材２３０には、高さ方向に所定間隔で第１リンク２３２の第１端部が第１軸２３２０を介して回転自在に連結されており、第２部材２３１には、高さ方向に所定間隔で第２リンク２３３の第１端部が第２軸２３３０を介して回転自在に連結されており、第１リンク２３２の第２端部と第２リンク２３３の第２端部は、第３軸２３４０を介して回転自在に連結されている。
【００５１】
図１８に示すように第１リンク２３２、第２リンク２３３は共にブロック状のリンクブロックである。第１リンク２３２の第１端部には、ブロックを貫設するように第１軸２３２０が設けてあり、第２リンク２３３の第１端部には、ブロックを貫設するように第２軸２３３０が設けてある。第１リンク２３２の第２端部は離間対向する一対の片からなり、当該一対の片の間に、第２リンク２３３の第２端部を回転可能な状態で挟持している。第２リンク２３３の第２端部は離間対向する一対の片からなり、当該一対の片の間に作動ロッド２３４を挟持しており、作動ロッド２３４に対する第２リンク２３３の第２端部の回転は許容されている。第２軸２３３０にはガイドローラ２３３１が設けてあり、第２軸２３３０はガイドローラ２３３１が水平溝２３６０に案内されて水平方向に往復動するようになっている。
【００５２】
作動ロッド２３４は、ガイドレール２に沿って垂直に延びる長尺状の部材であり、作動ロッド２３４には、高さ方向に所定間隔で第３軸２３４０が連結されており、上端側がパワーシリンダ８０のピストンロッド８１の先端に連結されている。すなわち、作動ロッド２３４と作動ロッド２３４を上下動させるパワーシリンダ８０から作動機構が構成されている。パワーシリンダ８０はピストンロッド８１を下方に向けて配置されており、ピストンロッド８１は、連結機構を介して作動ロッド２３４の上端に連結されている。図１３〜図１５に示すように、連結機構は、リンク８２と、リンク８２の長さ方向中途部位を軸８２´を介して回動自在に支持するベース８２０と、からなり、シリンダロッド８１の下端はリンク８２の第１端部８２１に回転自在に連結され、作動ロッド２３４の上端はロッドヘッド２３４１、吊持ロッド２３４２を介して、リンク８２の第２端部８２２に回転自在に連結されており、ピストンロッド８１の下方への突出動作に連動して、軸８２´を介して作動ロッド２３４が引き上げられるように構成されている。
【００５３】
第１部材２３０には、リンク機構に対応するように、高さ方向に所定間隔で一対のガイド２３５が設けてあり、ガイド２３５に形成されたガイド溝２３６によって、第２軸２３３０、第３軸２３４０が案内されるようになっている。すなわち、作動ロッド２３４の上動に連動して第２部材２３１が水平方向に移動して押圧面２３１０によってパネル１の室外側面部１００を押圧し、室内側面部１０１を水密ゴム部材２４に圧接するように構成されている。
【００５４】
本実施形態では、図１４の姿勢から、ピストンロッド８１を下方に突出させて図１５の姿勢とすることで、作動ロッド２３４が垂直状に引き上げられ、作動ロッド２３４の上動に連動して、第２部材２３１が第１部材２３０から離れるようにパネル１に向かって押し出されてパネル１の幅方向端部の室外側面部１００に当接し、パネル１の室内側面部１０１が水密ゴム部材２４を圧迫することで、第１圧迫機構７によって垂直方向に圧迫された全パネル１を一体で室内側に向かって圧迫する。
【００５５】
図１３〜図１５に示すように、第２圧迫機構８は、第１リミットスイッチ８３及び第２リミットスイッチ８４を備えている。第１リミットスイッチ８３、第２リミットスイッチ８４は、水平圧迫状態検知手段を構成する。具体的には、第１リミットスイッチ８３がＯＮ（第２リミットスイッチ８４がＯＦＦ）の場合は非水平圧迫状態であり、第１リミットスイッチ８３がＯＦＦ、第２リミットスイッチ８４がＯＦＦの場合は水平圧迫動作中あるいは水平圧迫解除動作中であり、第２リミットスイッチ８４がＯＮ（第１リミットスイッチ８３がＯＦＦ）の場合は水平圧迫状態であることが検知される。
【００５６】
上述のように、防水パネルシャッターは、全閉状態にあるシャッターカーテンＳを垂直方向に圧迫する第１圧迫機構７と、垂直圧迫状態にあるシャッターカーテンＳを水平方向に圧迫する第２圧迫機構８と、シャッターカーテンＳが開口部全閉状態となったことを検知する全閉状態検知手段（例えば、下限リミットスイッチから構成される）と、シャッターカーテンＳが垂直圧迫状態となったことを検知する垂直圧迫状態検知手段（第１リミットスイッチ７３、第２リミットスイッチ７４）と、シャッターカーテンＳが水平圧迫状態となったことを検知する水平圧迫状態検知手段（第１リミットスイッチ８３、第２リミットスイッチ８４）と、を備えている。防水シャッターの開閉制御は、操作スイッチからの入力によって行われる。図２に示すように、本実施形態に係る防水シャッターは、第１室外側スイッチボックスＳＢ１、第２室外側スイッチボックスＳＢ２、室内側スイッチボックスＳＢ３、すなわち３つの操作スイッチ、を備えている。操作スイッチの操作パネルには、開放ボタン、閉鎖ボタン、停止ボタン、圧迫ボタン、圧迫解除ボタン、非常閉鎖ボタン、が設けてある。防水シャッターの動作はこれらのボタンからの入力に基づいて制御される。
【符号の説明】
【００５７】
１  パネル
１００  室外側面部
１０１  室内側面部
２  ガイドレール
２０  室外側辺
２１  室内側辺
２００  前辺
２１０  前辺
７  第１圧迫機構（垂直圧迫手段）
８  第２圧迫機構（水平圧迫手段）
１４  弾性要素
１５  本体部
１５３  嵌合部
１６  弾性突片
１６０  弾性突片の先端部
１７  嵌合受部
２３  水平方向押圧部材（押圧部）
２４  水密ゴム部材（止水用弾性部材）
Ｓ  シャッターカーテン
【図１】
0006570838.tif 000002
【図２】
0006570838.tif 000003
【図３】
0006570838.tif 000004
【図４】
0006570838.tif 000005
【図５】
0006570838.tif 000006
【図６】
0006570838.tif 000007
【図７】
0006570838.tif 000008
【図８】
0006570838.tif 000009
【図９】
0006570838.tif 000010
【図１０】
0006570838.tif 000011
【図１１】
0006570838.tif 000012
【図１２】
0006570838.tif 000013
【図１３】
0006570838.tif 000014
【図１４】
0006570838.tif 000015
【図１５】
0006570838.tif 000016
【図１６】
0006570838.tif 000017
【図１７】
0006570838.tif 000018
【図１８】
0006570838.tif 000019
【図１９】
0006570838.tif 000020